(57)【要約】【課題】  構造簡単にして排水性が向上し、止水性能も高い排水栓構造を提供する。【解決手段】  上端側をラッパ状のテーパー面Ｓで構成する排水部２を洗面ボウル１の底部１１に設け、該排水部２内で上下する排水栓３が開栓時に洗面ボウル１の底部１１よりも低い高さに位置し、閉栓時に排水栓３が前記テーパー面Ｓに密接して止水する排水栓構造において、前記排水部２を、前記洗面ボウル１の底部１に排水口金具１２を掛止して構成し、該排水口金具１２に、閉栓時の栓蓋１３が密接する止水用テーパー面Ｓ１と、その止水用テーパー面Ｓ１に連続して上方に形成され該止水用テーパー部Ｓ１よりも傾斜角度を大きくする排水用テーパー部Ｓ２との連続する２段テーパーからなるテーパー面Ｓを設けると共に、止水用テーパー面Ｓ１と排水用テーパー部Ｓ２との境界部よりも、開栓時の排水栓３下面位置を高くして、入口側通水部ｑ１で通水面積を拡大して初期排水流量を多くする一方、出口側通水部ｑ２をその入口側通水部ｑ１から漸減するように徐々に面積を絞った圧力損失による流速低下が少ない構成にする。【選択図】図２
2006095204.tif 000002
【特許請求の範囲】
【請求項１】
上端側をラッパ状のテーパー面で構成する排水部を洗面ボウルの底部に設け、該排水部内で上下する排水栓が開栓時に洗面ボウルの底部と同等もしくはそれよりも低い高さに位置し、排水栓が閉栓時に前記テーパー面に密接して止水する排水栓構造において、
前記テーパー面を、排水栓が閉栓時に密接する止水用テーパー面と、その止水用テーパー面に連続して上方に形成され該止水用テーパー部よりも傾斜角度を大きくする排水用テーパー部との連続する２段テーパーにしていることを特徴とする排水栓構造。
【請求項２】
前記排水部を、前記洗面ボウルの底部に排水口金具を掛止して構成し、該排水口金具に、排水栓が閉栓時に密接する止水用テーパー面と、その止水用テーパー面に連続して上方に形成され該止水用テーパー部よりも傾斜角度を大きくする排水用テーパー部との連続する２段テーパーからなるテーパー面を設けていることを特徴とする排水栓構造。
【請求項３】
前記止水用テーパー面と排水用テーパー部との境界部よりも、開栓時の排水栓下面位置を高くしていることを特徴とする請求項１または２記載の排水栓構造。
【発明の詳細な説明】
【技術分野】
【０００１】
本発明は洗面ボウルに底部の排水部内に排水栓を上下動可能に装設し、排水栓が上昇して開栓し、下降して閉栓する排水栓構造に関するものである。
【背景技術】
【０００２】
従来、この種の排水栓構造には、図３に示すように、洗面ボウル１の底部１１に設けた排水孔１１ａに排水口金具１２を取付けて排水部２を形成し、該排水部２に排水栓３を上下動可能に備え、排水部２の上端部をラッパ状の止水用のテーパー面Ｓで形成すると共に、開栓時の排水栓３が洗面ボウル１の底部１１と同等もしくはそれよりも低い高さ位置に上昇して通水空間Ｑを確保し、閉栓時に排水栓３がその止水用のテーパー面Ｓに密接して止水する構成になっているものが知られている（例えば、特許文献１参照）。
【０００３】
この先行技術は、止水状態で排水部２のテーパー面Ｓに排水栓３が密接するから、止水性能が高められるばかりでなく、開栓時に排水栓３が洗面ボウル１の底部１１から上方に突出しないようにすることによって、排水栓３を悪戯から防護し、開栓時の排水栓３に槽内からの外力が作用し難くして耐久性をアップさせ、更には開栓時にバケツ等の容器を安定して載置できるようにして使用勝手の向上させる等の色々なメリットを有する。
ところで、開栓時に排水栓３が洗面ボウル１の底部１１から上方に突出しないこの種の排水栓構造では、開栓時の排水栓３と、テーパー面Ｓとで入口側通水部ｑ１、出口側通水部ｑ２とが同寸法の通水空間Ｑを形成するレイアウトになって、排水栓３が洗面ボウル１の底部１１から上方に突出する排水栓構造のような、大きな通水空間Ｑを形成できず、排水性が劣る問題点がある。
また、先行技術は詳細には、洗面ボウル１の底部１１を下方に延出する排水孔１１ａに止水用の前記テーパー面Ｓを形成しているが、洗面器は型成形した際の残留応力による収縮変形で寸法精度を安定させるのが非常に困難であり、殊に陶器製にあっては、寸法精度のバラツキが大きい。そのため、前記テーパー面が所定直径、所定の真円度をもって再現されず、止水性能が低い本質的な問題がある。
その上、洗面ボウル１、排水口金具１２ともに設計し直す必要があり、製作コストが高くなり、安価に提供できなくする。
【特許文献１】特許第３３１９９６２号
【発明の開示】
【発明が解決しようとする課題】
【０００４】
本発明は上記従来事情に鑑みてなされたもので、その目的とする処は、構造簡単にして排水性が向上する排水栓構造を提供することにある。
他の目的とする処は止水性能が高い排水栓構造を提供することにある。
【課題を解決するための手段】
【０００５】
前記課題を解決するために講じた技術的手段は、上端側をラッパ状のテーパー面で構成する排水部を洗面ボウルの底部に設け、該排水部内で上下する排水栓が開栓時に洗面ボウルの底部と同等もしくはそれよりも低い高さに位置し、排水栓が閉栓時に前記テーパー面に密接して止水する排水栓構造において、
前記テーパー面を、排水栓が閉栓時に密接する止水用テーパー面と、その止水用テーパー面に連続して上方に形成され該止水用テーパー部よりも傾斜角度を大きくする排水用テーパー部との連続する２段テーパーにしていることを特徴とする排水栓構造である（請求項１）。
更に、前記排水部を、前記洗面ボウルの底部に排水口金具を掛止して構成し、該排水口金具に、排水栓が閉栓時に密接する止水用テーパー面と、その止水用テーパー面に連続して上方に形成され該止水用テーパー部よりも傾斜角度を大きくする排水用テーパー部との連続する２段テーパーからなるテーパー面を設けた構成にしても良いものである（請求項２）。
ここで、前記傾斜角度は鉛直線からの角度である。
そして、止水用テーパー面と排水用テーパー部との境界部よりも、開栓時の排水栓下面位置を高くしていると、より好適になものとなる（請求項３）。
【０００６】
以上の手段によれば、上端側のテーパー面を、閉栓時の栓蓋が密接する止水用テーパー面と、その止水用テーパー面に連続して上方に形成され該止水用テーパー部よりも傾斜角度を大きくする排水用テーパー部との連続する２段テーパーにして、大きな通水空間を開栓時の排水栓周りに形成する。
そして、その通水空間は、入口側通水部で通水面積を拡大して初期排水流量を多くする一方、その入口側通水部から通水面積を漸減するように絞る出口側通水部一箇所から排水するようにして圧力損失による流速低下を抑制する。
また、止水用テーパー面と排水用テーパー部との境界部よりも、開栓時の排水栓下面位置を高くすると、出口側通水部の通水面積を拡大する。
【発明の効果】
【０００７】
本発明は以上のように構成したから下記の利点がある。
（請求項１、２）
開栓時に排水栓が洗面ボウルの底部から上方に突出しない排水栓構造において、止水用テーパー面に連続してその上方に傾斜角度を大きくする排水用テーパー面を設けて、通水面積を拡大する入口側通水部から漸減するように通水面積を絞って出口側通水部一箇所から排水する構成になっており、初期排水流量を多くした上に圧力損失による流速低下を抑制し、２段傾斜な簡単構成を採用して、排水性の向上に寄与することができる。
（請求項２）
洗面ボウルの底部に掛止する排水口金具に、止水用のテーパー面と排水用テーパ―面とを連続する２段テーパーからなる前記テーパー面を形成しているので、優れた止水性能を発揮し、洗面ボウルにテーパー面を形成した先行技術のように、そのテーパー面が所定直径、所定の真円度をもって再現されずに水が漏れるような虞れを解消することができるし、排水口金具のみを新設して対処すれば良く、安価に提供することができる。
（請求項３）
しかも、止水用テーパー面と排水用テーパー部との境界部よりも、開栓時の排水栓下面位置を高くして出口側通水部の通水面積を拡大しているので、流速低下がより抑制され、更なる排水性の向上を図ることができる。
【発明を実施するための最良の形態】
【０００８】
次に本発明排水栓構造の実施の形態を図１及び図２に基づいて説明する。
【実施例１】
【０００９】
前記排水栓構造は、洗面ボウル１の底部１１に開孔した排水孔１１ａに排水口金具１２を掛止して構成された排水部２、上下動して排水部２を開閉する排水栓３、その排水栓３をレリース４の力を借りて上下動させるスラストロック機構（図示せず）の支持部５、前記排水口金具１２に接続される排水継手６、固定金具７類から構成されている。
【００１０】
排水口金具１２は、上端側をラッパ状のテーパー面Ｓとし、そのテーパー面Ｓの上端に掛止鍔１２ａを水平に折曲し、下端側外周面に外螺子１２ｂを螺刻し、テーパー面Ｓと外螺子１２ｂを有する筒部との間に洗面ボウル１のオーバーフロー路２１に連通する排水窓１２ｃを開孔してなり、前記外螺子１２ｂに螺嵌する固定金具（ナット）７と前記掛止鍔１２ａとで三角パッキンＰを介して洗面ボウル１の底部１１を挟持して取り付けられている。
【００１１】
排水栓３は、排水部２を開閉する栓蓋１３から支軸２３を垂設し、その支軸２３を、スラストロック機構（図示せず）を収容した支持部５で間接的に支持した構成であり、支持部５は、図示するように排水口金具１２の中途部から排水空間の内側に向けて突出したリブ１２ｄに着脱可能に取付けられており、開栓時に洗面ボウル１の底部１１と同等もしくはそれよりも低い高さに位置し、閉栓時にはそれよりも低い位置に降下して排水口金具１２に密接して止水するようになっている。
尚、スラストロック機構は操作部側に設け、支持部５で前記支軸２３を上下動可能に支持し、該支軸２３を、支持部５に接続されるレリース４で押動される構成を採用しても良いものである。
【００１２】
前記支持部５は内部中空な筒体であり、排水継手６の中途部から導入して配線されたレリース４の下端が接続され、そのレリース４でスラストロック機構を介して間接的に押動される支軸２３を上下動させて排水部２を開閉するようになっている。
【００１３】
前記テーパー面Ｓは、図２に示すように閉栓時における排水栓３の栓蓋１３が密接して止水する止水用テーパー面Ｓ１に、その止水用テーパー面Ｓ１とは傾斜角度を異にする排水用テーパー面Ｓ２を連続形成している。
【００１４】
前記止水用テーパー面Ｓ１は、前記排水窓１２ｃのすぐ上の所要環状範囲だけ形成されており、閉栓時の栓蓋１３の側面が嵌着されている排水栓パッキン（例えはＯリング）８を押し潰すように密接して止水されるようになっている。
本実施の形態では、鉛直線から２０度程度の傾斜角度になっている。
【００１５】
排水用テーパー面Ｓ２は、前記止水用テーパー面Ｓ１よりも傾斜角度を大きくして、掛止鍔１２ａまで連設されており、本実施の形態では鉛直線から３０度程度の傾斜角度になっている。
この排水用テーパー面Ｓ２は、掛止鍔１２ａの鍔幅を小さくすることによって形成されている。
そして、開栓時には、栓蓋１３の下面が止水用テーパー面Ｓ１と排水用テーパー部Ｓ２との境界部よりも上位に位置されるレイアウトになるように構成されている。
【００１６】
以上のように構成されている排水栓構造では、閉栓時には図１に示すように排水栓３の栓蓋１３の側面が前記止水用テーパー面Ｓ１に密接して止水している。
そして、開栓時には、排水用テーパー面Ｓ２の中途に側面が臨むように栓蓋１３は止水用テーパー面Ｓ１から離間するが、栓蓋１３は洗面ボウル１の底部１１から上方に突出しない程度まで上昇して、排水用テーパー面Ｓ２との間に通水空間Ｑを形成する。
この通水空間Ｑは、閉栓時に排水栓が密接するテーパー面を同一傾斜角度で延長した１段テーパーを形成している先行技術に比べて、入口側通水部ｑ１、出口側通水部ｑ２の通水面積ｆ１、ｆ２を共に拡大することができる。殊に入口側通水部ｑ１の通水面積ｆ１が大きくなって初期排水流量を増大させる。それに加えて出口側通水部ｑ２をその入口側通水部ｑ１から漸減するように徐々に面積を絞った圧力損失による流速低下が少ない構成にして、排水性の向上を図るようになっている。
【００１７】
本発明の請求項１では、特許第３３１９９６２号の排水孔１１ａに止水用テーパー面Ｓ１、排水用テーパー面Ｓ２双方を形成したり、同号の排水口金具１２に止水用テーパー面Ｓ１を、排水孔１１ａに排水用テーパー面Ｓ２を形成したり、更にはその排水口金具１２に止水用テーパー面Ｓ１、排水用テーパー面Ｓ２双方を形成すること等を包含するものである。
【図面の簡単な説明】
【００１８】
【図１】本実施の形態排水栓構造の正面断面図で閉栓時を示す。
【図２】開栓時の排水栓構造の正面断面図で要部のみを示す。
【図３】従来の排水栓構造の正面断面図で閉栓時を示す。
【符号の説明】
【００１９】
３：排水栓              ２：排水部
１：洗面ボウル          Ｓ：テーパー面
Ｓ１：止水用テーパー面  Ｓ２：排水用テーパー面
１３：栓蓋              １２:排水口金具
【図１】
2006095204.tif 000003
【図２】
2006095204.tif 000004
【図３】
2006095204.tif 000005